(57)【要約】  カラーディスプレイ画面（１１０）用のバックライティングシステム（１２０、２２０、３２０、４２０）は、カラーディスプレイ画面（１１０）にバックライティングを与えるためにカラーディスプレイ画面（１１０）に当たる光経路（１４０）中に異なる色を放射するように構成された異なる色のＬＥＤデバイス（Ｒ、Ｇ、Ｂ）の複数のクラスタ（１３０）を備える。ＬＥＤデバイスコントローラ（１５０、２５０、３５０、４５０）が設けられ、そのそれぞれのものが、ＬＥＤデバイス（Ｒ、Ｇ、Ｂ）の複数のクラスタ（１３０）のサブセット、ＬＥＤデバイス（Ｒ、Ｇ、Ｂ）の単一のクラスタ（１８０）、および／または個々のクラスタ（１８０）中の個々のＬＥＤデバイス（Ｒ、Ｇ、Ｂ）の動作パラメータを制御するように構成されている。ＬＥＤデバイスコントローラ（１５０、２５０、３５０、４５０）は、共通データ線（３５６、４５４）を使用することができる。
2009503561.tif 000002
【特許請求の範囲】
【請求項１】
色ピクチャエレメントのアレイを備えるカラーディスプレイ画面用のバックライトシステムであって、
前記カラーディスプレイ画面にバックライティングを与えるために、前記カラーディスプレイ画面に当たる光経路中に異なる色の光を放射するように構成された前記異なる色の発光ダイオード（ＬＥＤ）デバイスの複数のクラスタと、
複数のＬＥＤデバイスコントローラであって、前記複数のＬＥＤデバイスコントローラのそれぞれは、前記ＬＥＤデバイスの複数のクラスタのサブセットの動作パラメータを制御するように構成された複数のＬＥＤデバイスコントローラと
を備えることを特徴とするバックライトシステム。
【請求項２】
それぞれのＬＥＤデバイスコントローラは、ＬＥＤデバイスの単一のクラスタのそれぞれの動作パラメータを制御するように構成されたことを特徴とする請求項１に記載のバックライトシステム。
【請求項３】
それぞれのＬＥＤデバイスコントローラは、ＬＥＤデバイスの単一のクラスタのそれぞれの、異なる色の個々のＬＥＤデバイスの動作パラメータを制御するように構成されたことを特徴とする請求項２に記載のバックライトシステム。
【請求項４】
ＬＥＤデバイスのそれぞれのクラスタは、赤、青、および緑のＬＥＤデバイスを備え、
前記複数のＬＥＤデバイスコントローラは、複数のＬＥＤデバイスコントローラ集積回路を備え、
赤、青、および緑のＬＥＤデバイスを備えるそれぞれのクラスタは、それぞれのＬＥＤデバイスコントローラ集積回路に取り付けられている
ことを特徴とする請求項２に記載のバックライトシステム。
【請求項５】
取付け基板をさらに備え、
前記複数のＬＥＤデバイスコントローラ集積回路は、前記取付け基板に取り付けられている
ことを特徴とする請求項４に記載のバックライトシステム。
【請求項６】
前記ＬＥＤコントローラ集積回路のうちの少なくともいくつかは、共通データ線に電気的に接続されていることを特徴とする請求項４に記載のバックライトシステム。
【請求項７】
赤、青、および緑のＬＥＤデバイスを備えるそれぞれのクラスタとそれぞれのＬＥＤデバイスコントローラ集積回路との間に反射器をさらに備えることを特徴とする請求項４に記載のバックライトシステム。
【請求項８】
ＬＥＤデバイスのそれぞれのクラスタは、赤、青、および緑のＬＥＤデバイスを備え、前記複数のＬＥＤデバイスコントローラは、複数のＬＥＤデバイスコントローラ集積回路を備え、
赤、青、および緑のＬＥＤデバイスを備えるそれぞれのクラスタ並びにそれぞれのＬＥＤデバイスコントローラ集積回路は、共通基板に取り付けられていることを特徴とする請求項２に記載のバックライトシステム。
【請求項９】
取付け基板をさらに備え、
複数の前記共通基板は、前記取付け基板に取り付けられている
ことを特徴とする請求項８に記載のバックライトシステム。
【請求項１０】
前記共通基板は、ＬＥＤデバイスの前記クラスタに隣接した反射器を備えることを特徴とする請求項８に記載のバックライトシステム。
【請求項１１】
前記ＬＥＤコントローラ集積回路のうちの少なくともいくつかは、共通データ線に電気的に接続されていることを特徴とする請求項８に記載のバックライトシステム。
【請求項１２】
前記複数のＬＥＤデバイスコントローラは、前記ＬＥＤデバイス間の電気的／光学的パラメータの差を補償することによって一様なバックライティングを与えるために、前記ＬＥＤデバイスの複数のクラスタの動作パラメータを制御するように構成されたことを特徴とする請求項１に記載のバックライトシステム。
【請求項１３】
前記複数のＬＥＤデバイスコントローラは、前記ＬＥＤデバイス間の電気的／光学的パラメータの差を補償することによって前記バックライティングの所望のカラーポイントを与えるために、前記ＬＥＤデバイスの複数のクラスタの動作パラメータを制御するように構成されたことを特徴とする請求項１に記載のバックライトシステム。
【請求項１４】
前記色ピクチャエレメントのアレイを備える前記カラーディスプレイ画面と組み合わせることを特徴とする請求項１に記載のバックライトシステム。
【請求項１５】
前記色ピクチャエレメントのアレイは、カラー液晶ディスプレイ（ＬＣＤ）ピクチャエレメントを備えることを特徴とする請求項１４に記載のバックライトシステム。
【請求項１６】
色ピクチャエレメントのアレイと、カラーディスプレイ画面にバックライティングを与えるために前記カラーディスプレイ画面に当たる光経路中に異なる色の光を放射するように構成される前記異なる色の発光ダイオード（ＬＥＤ）デバイスの複数のクラスタとを備えるカラーディスプレイ画面用のバックライティング方法であって、
前記ＬＥＤデバイスの複数のクラスタのサブセットの動作パラメータを、それらの動作中独立して制御するステップ
を含むことを特徴とするバックライティング方法。
【請求項１７】
前記ＬＥＤデバイスの複数のクラスタのサブセットの動作パラメータをそれらの動作中独立して制御するステップは、ＬＥＤデバイスの個々のクラスタの動作パラメータをそれらの動作中独立して制御するステップを含むことを特徴とする請求項１６に記載のバックライティング方法。
【請求項１８】
ＬＥＤデバイスの個々のクラスタの動作パラメータをその動作中独立して制御するステップは、前記ＬＥＤデバイスの個々のクラスタの異なる色の個々のＬＥＤデバイスの動作パラメータをそれらの動作中独立して制御するステップを含むことを特徴とする請求項１７に記載のバックライティング方法。
【請求項１９】
前記ＬＥＤデバイスの複数のクラスタのうサブセットの動作パラメータをそれらの動作中独立して制御するステップは、前記ＬＥＤデバイスの複数のクラスタの少なくとも１つのサブセットに対して共通データ線を使用して行われることを特徴とする請求項１６に記載のバックライティング方法。
【請求項２０】
前記ＬＥＤデバイスの複数のクラスタのサブセットの動作パラメータをそれらの動作中独立して制御するステップは、前記ＬＥＤデバイス間の電気的／光学的パラメータの差を補償することによって一様なバックライティングを与えるように、前記ＬＥＤデバイスの複数のクラスタのサブセットの動作パラメータをそれらの動作中独立して制御するステップを含むことを特徴とする請求項１６に記載のバックライティング方法。
【請求項２１】
前記ＬＥＤデバイスの複数のクラスタのサブセットの動作パラメータをそれらの動作中独立して制御するステップは、前記ＬＥＤデバイス間の電気的／光学的パラメータの差を補償することによって前記バックライティングの所望のカラーポイントを与えるように、前記ＬＥＤデバイスの複数のクラスタのサブセットの動作パラメータをそれらの動作中独立して制御するステップを含むことを特徴とする請求項１６に記載のバックライティング方法。
【請求項２２】
色ピクチャエレメントのアレイを備えるカラーディスプレイ画面用のバックライトシステムであって、
前記カラーディスプレイ画面にバックライティングを与えるために、前記カラーディスプレイ画面に当たる光経路中に異なる色の光を放射するように構成された前記異なる色の発光ダイオード（ＬＥＤ）デバイスの複数のクラスタと、
前記ＬＥＤデバイスの複数のクラスタの複数のサブセットの動作パラメータを独立して制御するように構成されたＬＥＤデバイスコントローラと
を備えることを特徴とするバックライトシステム。
【請求項２３】
前記ＬＥＤデバイスコントローラは、ＬＥＤデバイスの個々のクラスタの動作パラメータを独立して制御するように構成されたことを特徴とする請求項２２に記載のバックライトシステム。
【請求項２４】
前記ＬＥＤデバイスコントローラは、ＬＥＤデバイスの個々のクラスタ中の個々のＬＥＤデバイスの動作パラメータを独立して制御するようにさらに構成されたことを特徴とする請求項２３に記載のバックライトシステム。
【請求項２５】
ＬＥＤデバイスのそれぞれのクラスタは、赤、青、および緑のＬＥＤデバイスを備えることを特徴とする請求項２２に記載のバックライトシステム。
【請求項２６】
前記ＬＥＤデバイスコントローラは、共通データ線を介してＬＥＤデバイスの個々のクラスタの動作パラメータを独立して制御するように構成されたことを特徴とする請求項２２に記載のバックライトシステム。
【請求項２７】
前記ＬＥＤデバイスコントローラは、前記ＬＥＤデバイス間の電気的／光学的パラメータの差にもかかわらず一様なバックライティングを与えるために、前記ＬＥＤデバイスの複数のクラスタの動作パラメータを制御するように構成されたことを特徴とする請求項２２に記載のバックライトシステム。
【請求項２８】
前記ＬＥＤデバイスコントローラは、前記ＬＥＤデバイス間の電気的／光学的パラメータの差にもかかわらず前記バックライティングの所望のカラーポイントを与えるために、前記ＬＥＤデバイスの複数のクラスタの動作パラメータを制御するように構成されたことを特徴とする請求項２２に記載のバックライトシステム。
【請求項２９】
前記色ピクチャエレメントのアレイを備える前記カラーディスプレイ画面と組み合わせることを特徴とする請求項２２に記載のバックライトシステム。
【発明の詳細な説明】
【技術分野】
【０００１】
本発明は、液晶ディスプレイ（ＬＣＤ）などのディスプレイに関し、より詳細には、ＬＣＤなどのディスプレイのバックライティングに関する。
【背景技術】
【０００２】
ディスプレイ画面は、コンピュータモニタ、テレビジョン、ならびに多くの他の消費者用および商用のディスプレイ用途で、広く使用される。いくつかのフラットパネルディスプレイ画面は、光学シャッタのアレイ及びディスプレイ画面上に光を当てるバックライトシステムを備える。
【０００３】
例えば、ＬＣＤデバイスは、モニタ、テレビジョン、ならびに他の消費者用および商用のディスプレイ用途のためのフラットパネルディスプレイで広く使用される。当業者によく知られているように、ＬＣＤディスプレイは一般に、光学シャッタのアレイとして機能するＬＣＤデバイスのアレイを備える。透過型ＬＣＤディスプレイは、例えばＬＣＤデバイスのアレイの上、横や、しばしば後に冷陰極蛍光灯（ｆｌｕｏｒｅｓｃｅｎｔ  ｃｏｌｄ  ｃａｔｈｏｄｅ  ｔｕｂｅ）を用いるバックライティングを使用する。ＬＣＤデバイスの後の拡散パネルは、光の方向を均等に変えて散乱させ、より一様なディスプレイを実現するために使用することができる。
【０００４】
従来のシャッタ型ディスプレイデバイスは、一般に３つの異なる（しばしばピクセル（ｐｉｘｅｌ）および／またはサブ画素と呼ばれる）色ピクチャエレメント（ｐｉｃｔｕｒｅ  ｅｌｅｍｅｎｔ）を備え、一般に赤（Ｒ）、緑（Ｇ）、および青（Ｂ）のピクチャエレメントである。シャッタ型ディスプレイデバイス用のバックライトシステムは、白色光の外観を与えるディスプレイ画面上に光を一様に放射させるように構成することができる。本明細書で使用される「異なる色」は、異なる中心周波数を有する異なる周波数スペクトルを意味する。
【０００５】
ＬＣＤデバイスの平面アレイの背後にあり、かつそれと向かい合った冷陰極蛍光灯のアレイを備えることも知られている。残念ながら、冷陰極蛍光灯のアレイは、ＬＣＤディスプレイの厚さを増加させ、かつ／またはその電力消費を増加させる可能性がある。冷陰極蛍光灯のアレイを有するＬＣＤデバイスの平面アレイを一様に照明するのも難しいことがある。
【０００６】
発光ダイオード（ＬＥＤ）などの半導体発光デバイスもＬＣＤデバイスの平面アレイの端部照明（ｅｄｇｅ  ｉｌｌｕｍｉｎａｔｉｏｎ）に使用することができる。例えば特許文献１は、その開示が本明細書に完全に記載されているかのように参照によりその全体が本明細書に組み込まれ、大面積ＬＣＤおよび／またはテレビジョンのバックライティングに使用することができる側面放出（ｓｉｄｅ  ｅｍｉｓｓｉｏｎ）ＬＥＤを説明している。
【０００７】
ＬＥＤデバイスは、ＬＣＤディスプレイの直接バックライティングに使用することもできる。例えば特許文献２は、その開示が本明細書に完全に記載されているかのように参照によりその全体が本明細書に組み込まれ、ＬＣＤデバイスの平面アレイと、ＬＣＤデバイスの平面アレイ用のバックライティングを与えるための、ＬＣＤデバイスの平面アレイに近接して配置されるＬＥＤデバイスの平面アレイとを備えるフラットパネルディスプレイ用のディスプレイパネルを説明している。
【０００８】
【特許文献１】米国特許出願第１０／８９８６０８号明細書
【特許文献２】米国特許出願第１１／０２２３３２号明細書
【特許文献３】米国特許出願第１０／６５９１０８号明細書
【特許文献４】米国特許出願第１１／０１１７４８号明細書
【特許文献５】米国特許出願第１０／９７２９１０号明細書
【非特許文献１】colorkinetics.com/products/owm/chips/chromasic/
【発明の開示】
【発明が解決しようとする課題】
【０００９】
当業者によく知られているように、作製される個々のＬＥＤデバイスの電気的および／または光学的パラメータは、例えばルーチン処理の変化のためかなり変わることがある。バックライティングの一様性、および／または所望のバックライティングカラーポイントを実現するために、バックライティング用途に使用されるＬＥＤデバイスを分類するか又は「区分け棚に入れ（ｂｉｎ）」て、ＬＥＤデバイスの電気的および／または光学的パラメータの緊密な整合を可能にすることが望ましいことがある。残念ながら、このビニング（ｂｉｎｎｉｎｇ）が製造の複雑度を高めることがあり、かつ／またはＬＥＤデバイスの少なくともいくつかが不適当であるとして不採用とすることになる。いくつかのＬＥＤデバイスのビニングおよび／または不採用は、ＬＥＤバックライティングシステムに伴うコストを増加させることもある。
【課題を解決するための手段】
【００１０】
本発明の例示的実施形態は、色ピクチャエレメントのアレイを備えるカラーディスプレイ画面用の端部（ｅｄｇｅ）および／または直接（ｄｉｒｅｃｔ）バックライティングシステムを提供する。バックライティングシステムは、カラーディスプレイ画面にバックライティングを与えるために、カラーディスプレイ画面に当たる光経路中に異なる色の光を放射するように構成された異なる色のＬＥＤデバイスの複数のクラスタ（ｃｌｕｓｔｅｒ）を備える。ＬＥＤデバイスの複数のクラスタの複数のサブセットの動作パラメータを独立して制御するように構成されたＬＥＤデバイスコントローラも備える。いくつかの実施形態では、ＬＥＤデバイスコントローラは、ＬＥＤデバイスの個々のクラスタの動作パラメータを独立して制御するように構成されている。他の実施形態では、ＬＥＤデバイスコントローラは、ＬＥＤデバイスの個々のクラスタ中の個々のＬＥＤデバイスの動作パラメータを独立して制御するように構成されている。さらに他の実施形態では、ＬＥＤデバイスコントローラは、共通データ線を使用するように構成されている。いくつかの実施形態では、サブセット、クラスタ、および／または個々のＬＥＤデバイスの動作パラメータは、ＬＥＤデバイス間の電気的／光学的パラメータの差を補償することによって一様なバックライティングを与え、かつ／またはＬＥＤデバイス間の電気的／光学的パラメータの差を補償することによってバックライティングの所望のカラーポイントを与えるように制御することができる。
【００１１】
本発明の他の実施形態では、複数のＬＥＤデバイスコントローラが設けられ、それぞれは、ＬＥＤデバイスの複数のクラスタの１つのサブセットの動作パラメータを制御するように構成されている。他の実施形態では、それぞれのＬＥＤデバイスコントローラは、ＬＥＤデバイスの単一のクラスタの動作パラメータを制御するように構成され、いくつかの実施形態では、単一のクラスタ中の個々のＬＥＤデバイスの動作パラメータを制御するように構成されている。共通データ線もいくつかの実施形態で使用することができる。
【００１２】
端部および／または直接バックライトＬＥＤデバイスならびにＬＥＤデバイスコントローラ用の様々なパッケージング技法を、本発明の様々な実施形態により提供することができる。例えばいくつかの実施形態では、ＬＥＤデバイスのクラスタのそれぞれは、赤、青、および緑のＬＥＤデバイスを備え、複数のＬＥＤデバイスコントローラは、複数のＬＥＤデバイスコントローラ集積回路を備える。いくつかの実施形態では、赤、青、および緑のＬＥＤデバイスを備えるそれぞれのクラスタは、それぞれのＬＥＤデバイスコントローラ集積回路に取り付けられる。複数のＬＥＤデバイスコントローラ集積回路を１つの取付け基板に取り付けることができる。いくつかの実施形態では、赤、青、および緑のＬＥＤデバイスのそれぞれのクラスタとそれぞれのＬＥＤデバイスコントローラ集積回路との間に反射器を設けることもできる。
【００１３】
さらに他の実施形態では、赤、青、および緑のＬＥＤデバイスを備えるそれぞれのクラスタならびにそれぞれのＬＥＤデバイスコントローラ集積回路は、共通基板に取り付けられる。共通基板は、ＬＥＤデバイスのクラスタに隣接した反射器を備えることができる。共通基板は、取付け基板に取り付けることができる。
【００１４】
前述の実施形態のどれでも、ＬＥＤコントローラ集積回路の少なくともいくつかは、共通データ線に電気的に接続することができる。複数のＬＥＤデバイスコントローラは、ＬＥＤデバイス間の電気的／光学的パラメータの差を補正することにより、ＬＥＤデバイスの動作パラメータを制御し、それによって一様なバックライティングおよび／またはバックライティングの所望のカラーポイントを与えるように構成することができる。
【００１５】
本発明の実施形態は、カラーディスプレイ画面用の端部および／または直接バックライトシステムに関連して先に説明されたことが理解されよう。しかしながら、本発明の他の実施形態は、ＬＥＤデバイスの複数のクラスタの複数のサブセットの動作パラメータがそれらの動作中独立して制御される、カラーディスプレイ画面用のバックライティング方法を提供することができる。
【発明を実施するための最良の形態】
【００１６】
次に、本発明の実施形態が示される添付図面を参照しながら本発明がより完全に以下で説明される。しかしながら本発明は、本明細書に記載された実施形態に限定するように解釈されるべきでない。むしろ、これらの実施形態は、この開示を完全にし、当業者に本発明の範囲を完全に伝えるために提供される。図面では、層および領域の厚さが見やすいように誇張されている。同様の数字は全体を通して同様の要素を指す。本明細書で使用される「および／または」という用語は、関連付けて列挙された項目の１つまたは複数のありとあらゆる全ての組合せを含み、「／」と略記されることがある。
【００１７】
本明細書で使用される用語は、特定の実施形態だけを説明するためのものであり、本発明を限定するものではない。本明細書で使用される単数形は、文脈がそうではないと示唆しない限り、複数形も含むものである。本明細書で使用される「備える、含む（ｃｏｍｐｒｉｓｅｓ、ｃｏｍｐｒｉｓｉｎｇ）」という用語は、規定された形体、領域、ステップ、動作、要素、および／または構成要素の存在を指定するが、１つ又は複数の他の形体、領域、ステップ、動作、要素、構成要素、および／またはそれらの群の存在または付加を排除しないことがさらに理解されよう。
【００１８】
層または領域等の要素が、別の要素「の上に（ｏｎ）」に存在する又は「の上に（ｏｎｔｏ）」延在すると言及される場合、それは、他の要素の上に直接に存在する又は直接に延在するか、あるいは介在要素がさらに存在することがあることが理解されよう。対照的に、層または領域等の要素が別の要素「の上に直接に（ｄｉｒｅｃｔｌｙ  ｏｎ）」存在する又は「の上に直接に（ｄｉｒｅｃｔｌｙ  ｏｎｔｏ）」延在すると言及される場合、介在要素は存在しない。要素が別の要素に「接続される（ｃｏｎｎｅｃｔｅｄ）」または「結合される（ｃｏｕｐｌｅｄ）」と言及される場合、それは他の要素に直接に接続される又は直接に結合されるか、あるいは介在要素が存在することがあることが理解されよう。対照的に、要素が別の要素に「直接に接続される（ｄｉｒｅｃｔｌｙ  ｃｏｎｎｅｃｔｅｄ）」または「直接に結合される（ｄｉｒｅｃｔｌｙ  ｃｏｕｐｌｅｄ）」と言及される場合、介在要素は存在しない。
【００１９】
第１、第２などの用語が、本明細書では様々な要素、構成要素、領域、層、および／または区間を説明するために使用されることがあるが、これらの要素、材料、領域、層、および／または区間は、これらの用語によって限定されるべきでない。これらの用語は、ある要素、材料、領域、層、または区間を別の要素、材料、領域、層、または区間と区別するためにだけ使用される。したがって、以下で説明される第１の要素、材料、領域、層、または区間は、本発明の教示から逸脱することなく、第２の要素、材料、領域、層、または区間と称することができる。
【００２０】
さらに、「下部の（ｌｏｗｅｒ）」、「基部（ｂａｓｅ）」、または「水平の（ｈｏｒｉｚｏｎｔａｌ）」、および「上部の（ｕｐｐｅｒ）」、「最上部（ｔｏｐ）」、または「垂直の（ｖｅｒｔｉｃａｌ）」などの相対的用語は、本明細書では、図示されるようなある要素の別の要素との関係を説明するために使用されることがある。相対的用語は、図示された方向付けに加えてデバイスの様々な方向付けを包含するものであることが理解されよう。例えば、図中のデバイスが裏返される場合、他の要素の「下部」側にあると説明された要素は、他の要素の「上部」側に位置することになる。したがって、「下部の」という例示的用語は、図の特定の方向付けに応じて「下部の」および「上部の」の方向付けの両方を包含することができる。同様に、図のうちの１つでデバイスが裏返される場合、他の要素の「下に（ｂｅｌｏｗ）」または「真下に（ｂｅｎｅａｔｈ）」と説明される要素は、他の要素の「上に」位置することになる。したがって、「下に」または「真下に」という例示的用語は、上および下の方向付けの両方を包含することができる。さらに、「前面（ｆｒｏｎｔ）」および「背面（ｂａｃｋ）」という用語は、本明細書では、フラットパネルディスプレイの対向する外側面（ｏｕｔｗａｒｄ  ｆａｃｅ）を説明するために使用される。慣例的に、見る面を前面と考えられるが、見る面は方向付けに応じて背面と考えることもできる。
【００２１】
本発明の実施形態は、本明細書では、本発明の理想的な実施形態の概略図である断面図を参照しながら説明される。したがって、例えば製造技法および／または許容度の結果として図示の形状からの変動が予想される。したがって、本発明の実施形態は、本明細書に示された特定の形状の領域に限定するように解釈されるべきでなく、例えば製造に起因する形状の変動を含むものである。例えば、平面として図示または説明された領域は一般に、粗いおよび／または直線状でない形体を有することがある。さらに、図示される鋭い角度は一般に、丸くなることがある。したがって、図に示された領域は、本質的に概略であり、それらの形状は、領域の正確な形状を示すものではなく、本発明の範囲を限定するものではない。
【００２２】
特段の定めがない限り、本明細書で使用される全ての用語（技術用語および科学用語を含む。）は、本発明が属する当業者によって一般に理解されるのと同じ意味を有する。一般に使用される辞書で定義されたものなどの用語は、関連技術および本開示の文脈におけるそれらの意味と一致する意味を有するとみなされるべきであり、本明細書で明示的にそのように定義されない限り、理想化された又は過度に形式的な意味で解釈されることはないであろう。
【００２３】
図１は、本発明の例示的実施形態によるバックライティングシステム／方法を含むカラーディスプレイ画面の断面図である。図１に示されるように、これらのカラーディスプレイ画面１００は、カラーＬＣＤデバイスの三次元アレイなどの色ピクチャエレメントのアレイ１１０を備える。当業者によく知られているように、色ピクチャエレメントのアレイ１１０は、ガラスまたは他の材料の間に液晶物質を備え、偏光膜および１つ又は複数の電極層も備えることができる。カラーＬＣＤピクチャエレメントのアレイの設計は、当業者によく知られており、本明細書でさらに説明する必要はない。
【００２４】
さらに図１を参照して、バックライティングシステム１２０は、カラーディスプレイ画面１１０に当たる光経路１４０に異なる色の光を放射するように構成された、異なる色のＬＥＤデバイスの複数のクラスタ１３０を備え、カラーディスプレイ画面１１０上にバックライティングを与える。異なる色のＬＥＤデバイスのクラスタの１つは、異なる色の少なくとも２つのＬＥＤを備えるが、所与の色の１つよりも多いＬＥＤも備えることができることが理解されよう。ＬＥＤデバイスコントローラ１５０は、ＬＥＤデバイスのクラスタ１３０の複数のサブセットの動作パラメータを独立して制御するように構成されている。いくつかの実施形態では、ＬＥＤデバイスコントローラ１５０は、ＬＥＤデバイスの２つ以上のクラスタの複数のサブセットのパラメータを独立して制御するように構成することができる。さらにいくつかの実施形態では、図１に示されるように、コントローラ１５０とＬＥＤデバイスの個々のクラスタ１３０との間の個々の接続（ｃｏｎｎｅｃｔｉｏｎ）１５２によって概略的に示されるように、ＬＥＤデバイスコントローラは、ＬＥＤデバイスの個々のクラスタ１３０の動作パラメータを個々に制御するように構成されている。他の実施形態では、以下で詳細に説明されるように、コントローラ１５０と個々のクラスタ１３０との間の個々の接続１５２を必要とすることなく、ＬＥＤデバイスの個々のクラスタ１３０を制御することができる。
【００２５】
いくつかの実施形態では、ＬＥＤデバイスコントローラ１５０は、ＬＥＤデバイスの複数のクラスタ１３０の動作パラメータを制御するように構成され、ＬＥＤデバイス間の電気的および／または光学的パラメータの差を補償することによって一様なバックライティングを与える。本明細書で使用されるとき、「一様な」バックライティングは、通常の視距離でディスプレイを見る普通の観察者がバックライティング強度の変化に気が付かないことを意味する。いくつかの実施形態では、約２５％未満の変化が一様な強度を与えることがあり、他の実施形態では、５％未満の変化が一様な強度を与えることがある。本発明のさらに他の実施形態では、ＬＥＤデバイスコントローラ１５０は、ＬＥＤデバイスの複数のクラスタ１３０の動作パラメータを制御するように構成され、ＬＥＤデバイス間の電気的／光学的のパラメータの差を補償することによってバックライティングに所望のカラーポイントを与える。当業者によく知られているように、カラーポイントは、例えばＣＩＥ１９３１スペクトルチャートにおいて１組のｘ座標およびｙ座標によって表される色スペクトルチャート上のポイントを指すことができる。ＬＥＤデバイスの複数のクラスタ１３０の動作パラメータは、時間および／または空間で変化するカラーポイントなどの潜在的に要求される他の結果を達成するように制御することもできる。
【００２６】
したがって、ＬＥＤデバイスの個々のクラスタが順方向電圧および／または光学的効率等の電気的および／または光学的パラメータの広範な変動を有することがあるにもかかわらず、本発明の例示的な実施形態は、一様なバックライティングおよび／またはバックライティングの所望のカラーポイントを提供することができる。本発明の実施形態によれば、所与のバックライトシステムでのＬＥＤデバイスの動作パラメータをサブセットで及び／又は個々に制御することができるので、光学的および／または電気的パラメータの一様性のために多数のＬＥＤデバイスの分類またはビニングを行う必要をなくすことができ、かつ／または緩和されたビニング基準を使用することができる。
【００２７】
図２は、本発明の他の例示的実施形態による、バックライティングシステム／方法２２０を含むカラーディスプレイ画面２００の断面図である。これらの実施形態では、クラスタ１３０のＬＥＤデバイスには、それぞれ赤、緑、および青のＬＥＤデバイスＲ、Ｇ、Ｂが含まれる。ＬＥＤデバイスコントローラ２５０は、制御線２５２によって示されるように、個々のクラスタ１３０の個々のＬＥＤデバイスＲ、Ｇ、Ｂの動作パラメータを独立して制御するように構成されている。いくつかの実施形態では、緑のＬＥＤデバイスが２つ使用される。２つの緑のＬＥＤデバイスは、同じ又は異なる周波数の緑の光を放射することができる。
【００２８】
図１および２の実施形態は、ＬＥＤクラスタ１３０とそれぞれのコントローラ１５０、２５０との間で比較的多くの制御線１５２および／または２５２を使用する可能性があることを当業者なら理解されよう。対照的に、次に説明される図３および４の実施形態では、共通データ線を使用して、使用される制御線の数を減少させることができる。
【００２９】
より詳細には、図３は、本発明の他の実施形態によるカラーディスプレイ画面３００の断面図であり、バックライティングシステム／方法３２０は、複数のＬＥＤデバイスコントローラ３５０を備え、そのそれぞれは、ＬＥＤデバイスの複数のクラスタ１３０のサブセットの動作パラメータを制御するように構成されている。いくつかの実施形態では、それぞれのＬＥＤデバイスコントローラ３５０は、ＬＥＤデバイスの２つ以上のクラスタ１３０の動作パラメータを制御するように構成することができる。他の実施形態では、図３に示されるように、それぞれのＬＥＤデバイスコントローラ３５０は、ＬＥＤデバイスの単一のクラスタ１３０の動作パラメータを制御するように構成することができる。
【００３０】
さらに、図３に示されるように、複数のＬＥＤデバイスコントローラ３５０は、共通データ線３５４によって互いに電気的に接続することができる複数のＬＥＤデバイスコントローラ集積回路として実現することができる。図３では、直列接続が示されている。しかしながら、共通データ線への並列接続または組合せ並直列接続も行うことができる。本発明のいくつかの実施形態によれば、個々のＬＥＤデバイスコントローラ３５０は、共通データ線３５４を介して、よく知られているアドレス指定（ａｄｄｒｅｓｓｉｎｇ）技法を使用してアドレス指定することができる。共通電源／接地線および／または他の線も設けることができる。したがって、ＬＥＤバックライティング外部デバイスへの外部接続に使用される外部接続３５６の数を減らすか最小化することができる。
【００３１】
図４は、本発明のさらに他の実施形態によるバックライティングシステム／方法４２０を含むカラーディスプレイ画面４００を示し、所与のＬＥＤデバイスコントローラ４５０は、所与のクラスタ１３０中の赤、緑、青のＬＥＤ  Ｒ、Ｇ、Ｂの個々のものの動作パラメータをそれぞれ独立して制御するように構成されている。さらに図４に示されるように、この独立制御は、共通データ線４５４を使用して行うことができる。図４において、個々のＬＥＤデバイスコントローラ４５０は、並列に共通制御線４５４に接続されている。しかしながら、直列および／または直並列接続も行うことができる。共通データ線４５４は、バックライトシステム４２０用の外部接続の数を減らすことができる。電源、接地、および／または他の共通の接続線等の他の共通接続線も設けることができることが理解されよう。
【００３２】
図１〜４の実施形態は、様々なコンビネーションおよびサブコンビネーションで組み合わせることができることが当業者なら理解されよう。
【００３３】
図１〜４は、本発明の実施形態の概略断面図を提供した。図５〜７は、本発明の例示的実施形態による、図１〜４の実施形態のためのパッケージング技法の斜視図である。
【００３４】
特に、図５に示されるように、赤、緑、および青のＬＥＤデバイスＲ、Ｇ、Ｂを備えるＬＥＤデバイスのそれぞれのクラスタ１３０は、それぞれのＬＥＤデバイスコントローラ集積回路４５０に取り付けられる。取付け基板５１０もいくつかの実施形態では設けられ、複数のＬＥＤデバイスコントローラ集積回路４５０が取付け基板５１０に取り付けられる。図５に示されるように、ワイヤボンド５２０を使用して、クラスタ１３０の個々のＬＥＤデバイスをＬＥＤデバイスコントローラ集積回路４５０に電気的に接続することができる。しかしながら、はんだバンプなどの他の従来の電気接続技法を使用してもよい。さらに、はんだバンプ５３０を使用して、ＬＥＤデバイスコントローラ集積回路４５０を取付け基板５１０に接続することができる。しかしながら、ワイヤボンディングなどの他の従来の電気接続技法を使用することができる。図４の共通データ線４５４は、「Ｄ」で示されている。共通電源接続は、「＋」および「−」の記号で示されている。図５の実施形態は図４に対応するが、図１〜３のための類似の実施形態も提供できることが理解されよう。
【００３５】
所与の色の多数のＬＥＤデバイスを１つのクラスタ中で使用することができることも理解されよう。したがって、例えば、図５に示されるように、赤または青のＬＥＤデバイスと比べて緑のＬＥＤデバイスが比較的低い出力であるのを補償するために、２つの緑のＬＥＤデバイスを図５の１つのクラスタ１３０で使用することができる。
【００３６】
図６は、反射器６１０がクラスタ１３０に隣接して設けられる本発明の他の実施形態を示している。図６に示されるように、反射器６１０は、赤、青、緑のＬＥＤデバイスを備えるそれぞれのクラスタ１３０とそれぞれのＬＥＤデバイスコントローラ集積回路４５０との間に設けることができる。反射器は、基板に統合される反射キャビティによって実現することができ、それは特許文献２〜５に記載されており、それらの全ての開示は本明細書に完全に記載されているかのように参照によりその全体を本明細書に組み込まれる。他の実施形態では、自立型（ｆｒｅｅｓｔａｎｄｉｎｇ）反射器をＬＥＤデバイス１３０とコントローラ集積回路４５０との間に設けることができる。自立型反射器および／または統合型反射器の多くの他の構成を設けることができる。
【００３７】
図７は、ＬＥＤデバイスコントローラ４５０が、１つのクラスタ中に赤、緑、および青のＬＥＤと共に共通基板７１０に取り付けられる本発明の例示的実施形態による他のパッケージング技法を示している。共通基板７１０は、それ自体取付け基板５１０に取り付けることができる。さらに他の実施形態では、共通基板７１０は必要でなく、個々のＬＥＤデバイスコントローラ４５０および関連するＬＥＤデバイスを取付け基板５１０に直接取り付けることができる。最後に、さらに他の実施形態では、コントローラ４５０および関連するＬＥＤデバイスは、図６の６１０で示されたように、反射器内に取り付けることができる。共通基板７１０は、使用してもしなくてもよい。
【００３８】
図５〜７のパッケージング方式は、様々なコンビネーションおよびサブコンビネーションで組み合わせることができることが理解されよう。さらに、コントローラ集積回路４５０の接続および共通基板７１０の接続は、それらの両側に示されているが、他の実施形態では、それらの単一の側にワイヤボンドなどの接続を設けることができる。
【００３９】
本発明のいくつかの実施形態は、共通データ線に電気的に接続することができる複数のＬＥＤデバイスコントローラ４５０に関して先に説明した。そのようなＬＥＤコントローラの設計は、当業者によく知られている。例えば、ＬＥＤコントローラ４５０は、Ｃｏｌｏｒ  Ｋｉｎｅｔｉｃｓ  Ｉｎｃｏｒｐｏｒａｔｅｄによって販売される、Ｃｈｒｏｍａｓｉｃ（商標）  １マイクロチップとして組み込むことができる。Ｃｏｌｏｒ  Ｋｉｎｅｔｉｃｓのウェブサイトで説明されているように、Ｃｈｒｏｍａｓｉｃ（商標）  １は、次世代デジタル照明システムおよびネットワークを可能にするために、電力、通信、および制御を統合する特注マイクロチップである。Ｃｈｒｏｍａｓｉｃ（商標）は、小さなパッケージにデジタルＬＥＤ制御および通信技術を組み合わせ、それにより、高度に制御可能なランプノードが６４０億色の組合せを生成することを可能とする。完全に統合された３チャネルの１２ビットＬＥＤドライバは、シリアルコマンドビットストリームを受け取り、ＰＷＭ値のデコードおよび抽出を行い、新しいシリアルビットストリームを再生成するのに必要な全ての構成要素を包含する。高精度のバンドギャップ基準、外部プログラミング回路、および３つの独立したＬＥＤチャネルを駆動するのに必要な全ての回路も含まれる。制御されたＲＧＢ光ノードを生成するために必要とされる全てのものは、ＬＥＤ、電流プログラミング用の単一の抵抗器、および単一のバイパスコンデンサである。Ｃｈｒｏｍａｓｉｃ  １は、８ピンＳＣ８パッケージで利用できる。Ｃｈｒｏｍａｓｉｃの自己アドレス指定は、設計に付随するものである。これは、各Ｃｈｒｏｍａｓｉｃベースの光要素は、器具（ｆｉｘｔｕｒｅ）であろうと単一の画素であろうと、ネットワーク内のそのロケーションだけに基づいて、それ自体をアドレス指定することを意味する。これは、大規模照明用途ならびに映像ディスプレイおよび電子ディスプレイに対して容易で拡張性のある解決策を与える。非特許文献１を参照されたい。
【００４０】
他の従来のカラーコントローラを本発明の他の実施形態で使用することができることも理解されよう。そのようなカラーコントローラは、多くの他の用途で広く使用される。そのようなカラーコントローラは、よく知られているＤＭＸ照明プロトコルを使用することができる。ＤＭＸ５１２プロトコルを含むことができるＤＭＸプロトコルは、１９８６年にＵＳＩＴＴの技術委員会（Ｅｎｇｉｎｅｅｒｉｎｇ  Ｃｏｍｍｉｓｓｉｏｎ）によって開発され、その後１９９０年および２００４年に修正が行われた。２００４年標準は、ＤＭＸ５１２−Ａとしても知られている。複数の光器具をＤＭＸ標準下で普通の３ピンケーブルを使用して制御することができる。
【００４１】
いくつかの実施形態では、２４インチ対角ＬＣＤディスプレイは、１４列および２０行のアレイであるクラスタにＲＧＧＢ  ＬＥＤデバイスの２８０個のクラスタを備える２４インチ対角バックライティングシステムを使用することができる。いくつかの実施形態では、１１２０個のＬＥＤデバイス（２８０個のクラスタの各々に４つのＬＥＤデバイス）の各々は、個々のアドレス指定を可能にするために最低１１２０の外部接続を使用することがある。対照的に、本発明の他の実施形態では、１１２０個のＬＥＤデバイスを個々に制御するために、共通の電力、接地、およびデータ用のわずか３つの外部接続が与えられる。単一の共通な組の電力、接地、およびデータ接続を、共通データ接続によってアドレス指定することができる、２８０個のクラスタのサブセットに対して、例えばＬＥＤクラスタの個々の列に対して設けることができる。本発明の実施形態がアレイバックライティングに関して本明細書で説明されたことも理解されよう。しかしながら、ＬＣＤディスプレイの端部バックライティングも本発明の他の実施形態に従って提供することができる。
【００４２】
上述されたように、従来のＬＥＤバックライティングシステムおよび方法では、直列および／または並列のストリング（ｓｔｒｉｎｇ）でＬＥＤデバイスを配置することができる。直列ストリングのＬＥＤは同じ電流で動作することが望ましく、並列ストリングは電圧が一致することが望ましい。電流または電圧整合は、順方向電圧および／またはＬＥＤデバイスの他のパラメータのビニングに厳格な要求をもたらすことがある。極めて対照的に、本発明のいくつかの実施形態は、ＬＥＤバックライトアレイの各ＬＥＤを個々にアドレス指定するのに特定用途向け集積回路（ＡＳＩＣ）を使用できるようにする。これにより、所望の電流で各ＬＥＤを駆動することによって各画素の色バランス調整を可能にし、所望の「白色点（ｗｈｉｔｅ  ｐｏｉｎｔ）」を達成することができる。
【００４３】
さらに、ＤＭＸおよび／または他の処理を組み込むことによって、３つの外部接続だけがボード毎に必要とされるようにでき、それによって外部相互接続の数を減らすか又は最小化することができる。さらに上述したように、ＲＧＢまたはＲＧＧＢクラスタなどのＬＥＤクラスタは、光抽出を与えるためにかつ／または性能を改善するために含まれる反射器等の光学形体と共にＡＳＩＣ自体の上に取り付けることができる。本発明のいくつかの実施形態によれば、正、負、およびデータ信号の３つの信号しか必要としないようにすることができる。各集積回路コントローラのロケーションは分かっており、駆動電流に関して個々にアドレス指定することができる。したがって、いくつかの実施形態では、各集積回路は独立して動作することができ、各クラスタの各ＬＥＤは個々に制御することができる。
【００４４】
最後に、本発明の実施形態が主としてＬＣＤディスプレイに関して説明されたことが理解されよう。しかしながら、デジタル光プロジェクタ（ＤＬＰ）ディスプレイなどのシャッタ型カラーディスプレイを本発明の他の実施形態で使用することができる。したがって、（例えば、１９３１年のＣＩＥダイヤグラムからのｘ、ｙ座標および／または１９７６年のＵＣＳ  ＣＩＥダイヤグラムからのｕ’、ｖ’座標で定義された）所望の色、所望の色強度、および／または所望の一様性は、個々のＲ、Ｇ、およびＢダイのより広い波長またはカラービン（ｃｏｌｏｒ  ｂｉｎ）を使用できるようにしながら、各画素を個々に制御することによって得ることができる。
【００４５】
図面および明細書において、本発明の実施形態が開示されており、特定の用語が使用されているが、それらは一般的および説明的な意味でのみ使用され、限定するために使用されず、本発明の範囲は添付の特許請求の範囲に記載されている。
【図面の簡単な説明】
【００４６】
【図１】本発明の例示的実施形態によるバックライティングシステム／方法を含むカラーディスプレイ画面の断面図である。
【図２】本発明の例示的実施形態によるバックライティングシステム／方法を含むカラーディスプレイ画面の断面図である。
【図３】本発明の例示的実施形態によるバックライティングシステム／方法を含むカラーディスプレイ画面の断面図である。
【図４】本発明の例示的実施形態によるバックライティングシステム／方法を含むカラーディスプレイ画面の断面図である。
【図５】本発明の例示的実施形態によるバックライティングシステム／方法の斜視図である。
【図６】本発明の例示的実施形態によるバックライティングシステム／方法の斜視図である。
【図７】本発明の例示的実施形態によるバックライティングシステム／方法の斜視図である。
【図１】
2009503561.tif 000003
【図２】
2009503561.tif 000004
【図３】
2009503561.tif 000005
【図４】
2009503561.tif 000006
【図５】
2009503561.tif 000007
【図６】
2009503561.tif 000008
【図７】
2009503561.tif 000009
【手続補正書】
【提出日】平成19年3月20日(2007.3.20)
【手続補正１】
【補正対象書類名】特許請求の範囲
【補正対象項目名】全文
【補正方法】変更
【補正の内容】
【特許請求の範囲】
【請求項１】
色ピクチャエレメントのアレイを備えるカラーディスプレイ画面用のバックライトシステムであって、
前記カラーディスプレイ画面にバックライティングを与えるために、前記カラーディスプレイ画面に当たる光経路中に異なる色の光を放射するように構成された前記異なる色の発光ダイオード（ＬＥＤ）デバイスの複数のクラスタと、
複数のＬＥＤデバイスコントローラであって、前記複数のＬＥＤデバイスコントローラのそれぞれは、前記ＬＥＤデバイス間の電気的／光学的パラメータの差を補償することによって、白色光のように見える前記色ピクチャエレメントのアレイの一様なバックライティングを与えるために、前記ＬＥＤデバイスの複数のクラスタのサブセットの動作パラメータを制御するように構成された複数のＬＥＤデバイスコントローラと
を備えることを特徴とするバックライトシステム。
【請求項２】
それぞれのＬＥＤデバイスコントローラは、ＬＥＤデバイスの単一のクラスタのそれぞれの動作パラメータを制御するように構成されたことを特徴とする請求項１に記載のバックライトシステム。
【請求項３】
それぞれのＬＥＤデバイスコントローラは、ＬＥＤデバイスの単一のクラスタのそれぞれの、異なる色の個々のＬＥＤデバイスの動作パラメータを制御するように構成されたことを特徴とする請求項２に記載のバックライトシステム。
【請求項４】
ＬＥＤデバイスのそれぞれのクラスタは、赤、青、および緑のＬＥＤデバイスを備え、
前記複数のＬＥＤデバイスコントローラは、複数のＬＥＤデバイスコントローラ集積回路を備え、
赤、青、および緑のＬＥＤデバイスを備えるそれぞれのクラスタは、それぞれのＬＥＤデバイスコントローラ集積回路に取り付けられていることを特徴とする請求項２に記載のバックライトシステム。
【請求項５】
取付け基板をさらに備え、
前記複数のＬＥＤデバイスコントローラ集積回路は、前記取付け基板に取り付けられている
ことを特徴とする請求項４に記載のバックライトシステム。
【請求項６】
前記ＬＥＤコントローラ集積回路のうちの少なくともいくつかは、共通データ線に電気的に接続されていることを特徴とする請求項４に記載のバックライトシステム。
【請求項７】
赤、青、および緑のＬＥＤデバイスを備えるそれぞれのクラスタとそれぞれのＬＥＤデバイスコントローラ集積回路との間に反射器をさらに備えることを特徴とする請求項４に記載のバックライトシステム。
【請求項８】
ＬＥＤデバイスのそれぞれのクラスタは、赤、青、および緑のＬＥＤデバイスを備え、
前記複数のＬＥＤデバイスコントローラは、複数のＬＥＤデバイスコントローラ集積回路を備え、
赤、青、および緑のＬＥＤデバイスを備えるそれぞれのクラスタ並びにそれぞれのＬＥＤデバイスコントローラ集積回路は、共通基板に取り付けられている
ことを特徴とする請求項２に記載のバックライトシステム。
【請求項９】
取付け基板をさらに備え、
複数の前記共通基板は、前記取付け基板に取り付けられている
ことを特徴とする請求項８に記載のバックライトシステム。
【請求項１０】
前記共通基板は、ＬＥＤデバイスの前記クラスタに隣接した反射器を備えることを特徴とする請求項８に記載のバックライトシステム。
【請求項１１】
前記ＬＥＤコントローラ集積回路のうちの少なくともいくつかは、共通データ線に電気的に接続されていることを特徴とする請求項８に記載のバックライトシステム。
【請求項１２】
前記複数のＬＥＤデバイスコントローラは、前記ＬＥＤデバイス間の電気的／光学的パラメータの差を補償することによって前記バックライティングの所望の白色光カラーポイントを与えるために、前記ＬＥＤデバイスの複数のクラスタの動作パラメータを制御するように構成されたことを特徴とする請求項１に記載のバックライトシステム。
【請求項１３】
前記色ピクチャエレメントのアレイを備える前記カラーディスプレイ画面と組み合わせることを特徴とする請求項１に記載のバックライトシステム。
【請求項１４】
前記色ピクチャエレメントのアレイは、カラー液晶表示装置（ＬＣＤ）ピクチャエレメントを備えることを特徴とする請求項１３に記載のバックライトシステム。
【請求項１５】
色ピクチャエレメントのアレイと、カラーディスプレイ画面にバックライティングを与えるために前記カラーディスプレイ画面に当たる光経路中に異なる色の光を放射するように構成された前記異なる色の発光ダイオード（ＬＥＤ）デバイスの複数のクラスタとを備えるカラーディスプレイ画面用のバックライティング方法であって、
前記ＬＥＤデバイス間の電気的／光学的パラメータの差を補償することによって、白色光のように見える前記色ピクチャエレメントのアレイの一様なバックライティングを与えるために、前記ＬＥＤデバイスの複数のクラスタの複数のサブセットの動作パラメータをそれらの動作中独立して制御するステップ
を含むことを特徴とするバックライティング方法。
【請求項１６】
前記ＬＥＤデバイスの複数のクラスタの複数のサブセットの動作パラメータをそれらの動作中独立して制御するステップは、ＬＥＤデバイスの個々のクラスタの動作パラメータをそれらの動作中独立して制御するステップを含むことを特徴とする請求項１５に記載のバックライティング方法。
【請求項１７】
ＬＥＤデバイスの個々のクラスタの動作パラメータをそれらの動作中独立して制御するステップは、前記ＬＥＤデバイスの個々のクラスタの異なる色の個々のＬＥＤデバイスの動作パラメータをそれらの動作中独立して制御するステップを含むことを特徴とする請求項１６に記載のバックライティング方法。
【請求項１８】
前記ＬＥＤデバイスの複数のクラスタの複数のサブセットの動作パラメータをそれらの動作中独立して制御するステップは、前記ＬＥＤデバイスの複数のクラスタの少なくとも１つのサブセットに対して共通データ線を使用して行われることを特徴とする請求項１５に記載のバックライティング方法。
【請求項１９】
前記ＬＥＤデバイスの複数のクラスタの複数のサブセットの動作パラメータをそれらの動作中独立して制御するステップは、前記ＬＥＤデバイス間の電気的／光学的パラメータの差を補償することによって前記バックライティングの所望の白色光カラーポイントを与えるように、前記ＬＥＤデバイスの複数のクラスタの複数のサブセットの動作パラメータをそれらの動作中独立して制御するステップを含むことを特徴とする請求項１５に記載のバックライティング方法。
【請求項２０】
色ピクチャエレメントのアレイを備えるカラーディスプレイ画面用のバックライトシステムであって、
前記カラーディスプレイ画面にバックライティングを与えるために、前記カラーディスプレイ画面に当たる光経路中に異なる色の光を放射するように構成された前記異なる色の発光ダイオード（ＬＥＤ）デバイスの複数のクラスタと、
前記ＬＥＤデバイス間の電気的／光学的パラメータの差を補償することによって、白色光のように見える前記色ピクチャエレメントのアレイの一様なバックライティングを与えるために、前記ＬＥＤデバイスの複数のクラスタの複数のサブセットの動作パラメータを独立して制御するように構成されたＬＥＤデバイスコントローラと
を備えることを特徴とするバックライトシステム。
【請求項２１】
前記ＬＥＤデバイスコントローラは、ＬＥＤデバイスの個々のクラスタの動作パラメータを独立して制御するように構成されたことを特徴とする請求項２０に記載のバックライトシステム。
【請求項２２】
前記ＬＥＤデバイスコントローラは、ＬＥＤデバイスの個々のクラスタ中の個々のＬＥＤデバイスの動作パラメータを独立して制御するようにさらに構成されたことを特徴とする請求項２１に記載のバックライトシステム。
【請求項２３】
ＬＥＤデバイスのそれぞれのクラスタは、赤、青、および緑のＬＥＤデバイスを備えることを特徴とする請求項２０に記載のバックライトシステム。
【請求項２４】
前記ＬＥＤデバイスコントローラは、共通データ線を介してＬＥＤデバイスの個々のクラスタの動作パラメータを独立して制御するように構成されたことを特徴とする請求項２０に記載のバックライトシステム。
【請求項２５】
前記ＬＥＤデバイスコントローラは、前記ＬＥＤデバイス間の電気的／光学的パラメータの差にもかかわらず前記バックライティングの所望の白色光カラーポイントを与えるために、前記ＬＥＤデバイスの複数のクラスタの動作パラメータを制御するように構成されたことを特徴とする請求項２０に記載のバックライトシステム。
【請求項２６】
前記色ピクチャエレメントのアレイを備える前記カラーディスプレイ画面と組み合わせることを特徴とする請求項２０に記載のバックライトシステム。
【国際調査報告】
2009503561.tif 000010
2009503561.tif 000011
2009503561.tif 000012